(57)【要約】【課題】  クライアントがビデオカメラの動作を遠隔制御する場合、画像を再生しないモード（停止、早送り、巻き戻し、イジェクト、ローディング中、再生禁止メディアの再生など）では、クライアントではサーバのビデオカメラの状態がわからない。【解決手段】  外部コンピュータ４２の遠隔制御により、ビデオカメラのＤＶＣデッキ２２によりテープから再生された再生動画ストリームは、ＤＶＣデッキ２２→ＤＶコーデック２０→カメラ／ＪＰＥＧエンコーダ１７→→ＤＳＣ３０の順に伝送される。ＲＯＭ３９内に動作を示す画像（静止画または動画）が格納されており、再生画像が表示されないモードにおいて、ブルーバック画像の替わりに表示を行う。これにより、クライアントである外部コンピュータ４２の画面には、再生画像を表示しないモードでは、そのモードに応じた画像が表示される。【選択図】            図１
2006041871.tif 000002
【特許請求の範囲】
【請求項１】
ネットワークを介して接続されるクライアントにより遠隔制御されるサーバ機能を備えており、記録媒体に記録された映像信号を再生する再生装置であって、
前記記録媒体の走行停止、少なくとも早送り、巻戻し、イジェクト、ローディング中の各種の映像信号非再生モードのそれぞれを表わす複数の画像を予め記憶している記憶手段と、
前記ネットワークを介して接続された前記クライアントからの制御信号により、前記映像信号非再生モードの動作指示がされたときは、その動作指示に対応した画像を、前記記憶手段に記憶されている前記複数の画像の中から読み出して、前記ネットワークを介して前記クライアントへ出力する出力制御手段と
を有することを特徴とするサーバ機能を備えた再生装置。
【発明の詳細な説明】
【技術分野】
【０００１】
本発明はサーバ機能を備えた再生装置に係り、特にネットワークを介して外部のクライアントから遠隔制御されるサーバ機能を備えた再生装置に関する。
【背景技術】
【０００２】
ＶＴＲ付きビデオカメラ（カメラ一体型ＶＴＲ）は、撮像素子により撮像した被写体画像を磁気テープなどの記録媒体に記録し再生する機能を有するビデオカメラであり、広く一般に普及している。このようなＶＴＲ付きビデオカメラにより記録媒体から再生した映像信号あるいは撮影した映像信号を、ネットワークを通じて受信端末へ送信すると共に、受信端末からはビデオカメラの撮影方向（パン／チルト）や撮影倍率（ズーム）の操作を遠隔制御できるシステムが従来より提案されている（例えば、特許文献１参照）。
【０００３】
【特許文献１】特開平９−２４７６３７号公報
【発明の開示】
【発明が解決しようとする課題】
【０００４】
しかしながら、ネットワーク接続機能を備え、かつ、サーバ機能を有するビデオカメラを、ネットワークに接続した外部コンピュータなどのクライアントから、そのビデオカメラの記録媒体から記録映像信号を再生させて動画像を表示するように遠隔制御する場合、記録媒体の再生モードの中で画像を再生しない映像信号非再生モード（停止、早送り、巻戻し、イジェクト、ローディング中、再生禁止メディアの再生など）では、外部のコンピュータ上の画面の表示は青色や黒色などの一色表示となり、クライアントではサーバのビデオカメラの状態がわからないという問題がある。
【０００５】
本発明は上記の点に鑑みなされたもので、ネットワークを介して外部のクライアントから動作が遠隔制御される際に、クライアントが制御状態を正確に確認し得るビデオ一体型ＶＴＲ等のサーバ機能を備えた再生装置を提供することを目的とする。
【課題を解決するための手段】
【０００６】
上記の目的を達成するため、本発明は、ネットワークを介して接続されるクライアントにより遠隔制御されるサーバ機能を備えており、記録媒体に記録された映像信号を再生する再生装置であって、記録媒体の走行停止、少なくとも早送り、巻戻し、イジェクト、ローディング中の各種の映像信号非再生モードのそれぞれを表わす複数の画像を予め記憶している記憶手段と、ネットワークを介して接続されたクライアントからの制御信号により、映像信号非再生モードの動作指示がされたときは、その動作指示に対応した画像を、記憶手段に記憶されている複数の画像の中から読み出して、ネットワークを介してクライアントへ出力する出力制御手段とを有することを特徴とするサーバ機能を備えたことを特徴とする。
【０００７】
この発明では、クライアントから映像信号を再生しない映像信号非再生モードの指示があったときには、そのモードに対応した画像を記憶手段から読み出してクライアントへ伝送するようにしたため、クライアントは、映像信号を再生しないモードを指示したときでも、ネットワークを介して受信した画像から再生装置の動作状態を知ることができる。
【発明の効果】
【０００８】
本発明によれば、クライアントから映像信号を再生しない映像信号非再生モード（例えば、記録媒体の走行停止、早送り、巻戻し、イジェクト、ローディング中、再生禁止媒体の再生など）の指示があったときには、その映像信号非再生モードに対応した画像を記憶手段から読み出してクライアントへ伝送することにより、クライアントは、映像信号を再生しないモードを指示したときでも、ネットワークを介して受信した画像により、再生装置の動作状態を正確に知ることができる。
【０００９】
また、本発明によれば、上記の画像は記憶手段から読み出しているので、従来の本体ＬＣＤなどで使用するモード表示用ＯＳＤ回路などのハードウェアを必要としないため、容易で安価に構成ができる。
【発明を実施するための最良の形態】
【００１０】
次に、発明を実施するための最良の形態について図面と共に説明する。図１は本発明になるサーバ機能を備えた再生装置の第１の実施の形態のブロック図を示す。この実施の形態の再生装置は、ネットワーク接続可能なＶＴＲ付きビデオカメラ（カメラ一体型ＶＴＲ）に適用した例を示している。以下、本実施の形態の各モードの動作について説明する。
【００１１】
（１）カメラ動画像のテープ録画モード
光学系１１で画角、フォーカス、アイリスを調整された被写体（図示せず）からの入射光は、電荷転送素子（ＣＣＤ）で構成された撮像素子１２の受光面に結像される。撮像素子１２は、垂直ドライブ信号及び水平ドライブ信号により駆動され、入射光を光電変換して２ｃｈの画像データとして並列に出力する。この２ｃｈの画像データは、画面の中心で左右に分割された画像データとなっている。これらの画像データはＡＦＥ１３において、相関２重サンプリング（ＣＤＳ）によるＳ／Ｎ改善処理、自動利得制御（ＡＧＣ）によるレベル調整処理、及びＡ／Ｄ変換器によるＡ／Ｄ変換処理が順次行われて２ｃｈのデジタル信号として出力される。
【００１２】
上記の２ｃｈのデジタル信号は画像処理回路１４において、それぞれゲイン、セットアップ調整されてから結合され、１枚の画像信号に合成されて出力される。ここで、画像処理回路１４には、発振器（ＯＳＣ）１５により発振出力された一定周波数のクロック信号が供給されており、画像処理回路１４はこのクロック信号を基準にしてＡＦＥ１３内のＣＤＳやＡ／Ｄ変換に用いるクロックを発生してそれらに供給すると共に、撮像素子１２を駆動する垂直ドライブ信号を発生し、それを増幅器１６で増幅した後撮像素子１２に供給する。また、撮像素子１２を駆動する水平ドライブ信号はＡＦＥ１３で発生される。
【００１３】
１枚の画像となった画像信号は、画像処理回路１４から出力されてカメラ／ＪＰＥＧエンコーダ１７に供給され、ここでカメラ信号処理され補色のＣＣＤデータからＹＵＶデータに変換され、更に、ズーム、モザイク、ソラリゼーションなどの電子画像処理が行われ、最終的にデジタルビデオカメラ（ＤＶＧ）の規格に合う有効画素（ＮＴＳＣ：７２０×４８０画素、ＰＡＬ／ＳＥＣＡＭ：７２０×５７６画素）の動画像に画像サイズを変換されて出力端子１８へビデオ信号として出力される。また、カメラ／ＪＰＥＧエンコーダ１７では、画像処理回路１４からクロックが入力され、これに同期した同期信号を生成して画像処理回路１４へ出力している。
【００１４】
ビデオエンコーダ／デコーダ１９は、カメラ／ＪＰＥＧエンコーダ１７の出力端子１８から供給されたビデオ信号をそのまま外部へ出力する一方、ＤＶコーデック２０でＤＶ規格に準拠して圧縮した後、その圧縮ビデオ信号に音声セレクタ／マイクアンプ２１から入力される音声信号をＡ／Ｄ変換して付加し、更に誤り訂正符号を生成して付加してから、記録のための変調処理を行い、その変調後の信号をＤＶＣデッキ２２へ出力する。ＤＶＣデッキ２２はＤＶコーデック２０から入力された信号を、回転ヘッドを用いた公知のヘリカルスキャニング方式により磁気テープに記録する。
【００１５】
この時、ビデオエンコード／デコーダ１９において、カメラ／ＪＰＥＧエンコーダ１７からの入力ビデオ信号に対して機器操作に必要となる文字を、オンスクリーンディスプレイ（ＯＳＤ）２３への同期信号に同期させてＯＳＤ２３から入力として受け、ビデオエンコード／デコーダ１９内部で入力ビデオ信号に合成後に、ＮＴＳＣ方式またはＰＡＬ／ＳＥＣＡＭ方式のテレビジョン信号に変調して本体表示用の表示器（ビューファインダ、液晶表示装置など）２４に出力すると共に、ビデオ信号として外部に出力する。
【００１６】
また、マイク２５により収音された音声は、マイク２５で音声信号に変換された後、音声セレクタ／マイクアンプ２１でゲイン調整後にＤＶコーデック２０を経由してＤＶＣデッキ２２に供給され、前述のように動画像と一緒に磁気テープに記録される。
【００１７】
一方、システムＣＰＵ（中央処理装置）２６は、ＵＩ操作スイッチ、センサなどのユーザインタフェース（ＵＩ）２７からのデータ、リアルタイムクロック（ＲＴＣ）２９からの時計信号を基に、電源回路（ＲＥＧ）２８への制御信号や、ＤＳＣ（デジタル・スチル・カメラシステム）３０への制御信号や、図示しない各種の信号線により、このビデオカメラ全体を統括的に制御する。
【００１８】
カメラ画像処理時は、角速度検出器であるジャイロ（ＧＹＲＯ）３１によりビデオカメラの手振れが検出され、その検出信号が画像処理回路１４を経由し、外部バス３２、３３によりカメラ／ＪＰＥＧエンコーダ１７に取り込まれる。カメラ／ＪＰＥＧエンコーダ１７は、１フィールド分の画像バッファをカメラ／ＪＰＥＧエンコーダ１７に持ち、手ぶれ検出信号に基づき、現在と過去の１フィールド間の画像の動きベクトルを算出して、その動きベクトルが最小になるように、画像バッファからの読み出し位置を制御することで、手振れなどによる動画像の細かい揺れを生じさせないようにさせる。
【００１９】
カメラオート系の処理は、カメラ／ＪＰＥＧエンコーダ１７に画像処理回路１４からＣＣＤデータのフィールド１枚１枚が入力される度に、その１フィールド画像を分割したブロック毎に、それぞれの平均輝度出力レベルを算出する。その算出データを所定のアルゴリズムでＣＣＤデータの輝度レベルが一定の範囲内となるように計算し、外部バス３３、３２、画像処理回路１４を経由してアイリスモータ３４を駆動制御し、被写体の明るさに応じて光学系１１内のアイリス調整（絞り調整／減光フィルタの挿入の調整）を行う。更に、入射光量の多い場合には撮像素子１２の電子シャッターを用いて調整を行う。
【００２０】
同様に、カメラ／ＪＰＥＧエンコーダ１７は、１フィールド画像を分割したブロック毎に、それぞれの輝度信号の高域成分レベルを算出し、そのデータを基に被写体に応じたフォーカス位置を計算し、外部バス３３、３２、画像処理回路１４を経由してフォーカスモータ３５を駆動制御して、撮像素子１２の受光面に被写体光が焦点一致して結像するように光学系１１内のフォーカスレンズを移動制御させる構成になっている。これらにより、接写体が変化しても常に適切な明るさで、焦点の合った動画像を記録できるようになる。
【００２１】
（２）テープ再生モード
ＤＶＣデッキ３６により磁気テープから再生された信号は、ＤＶコーデック２０にて復調、誤り訂正されて再生動画像信号と再生音声信号とが得られ、再生動画像信号はＤＶ規格の伸張処理が施された後、カメラ／ＪＰＥＧエンコーダ１７に一旦出力され、再生音声信号はＤＶコーデック２０にてＤ／Ａ変換された後、音声セレクタ／マイクアンプ２１に出力されて増幅された後、スピーカ３６により電気−音響変換されて発音される。
【００２２】
再生動画像信号は、カメラ／ＪＰＥＧエンコーダ１７にて必要に応じてズーム、スチル処理などが施された後、ビデオエンコーダ／デコーダ１９に出力され、上記の（１）のカメラ動画像のテープ録画モードと同様に、表示器２４やビデオ入出力端子に出力されて見ることができる。
【００２３】
これらの制御は図示しない信号線によりシステムＣＰＵ２６が行っている。ここで、記録画像を再生しないモード（停止、早送り、巻戻し、イジェクト、ローディング中）や、再生禁止メディアの場合などでは再生画像の替わりにブルーバック画像を出力し、ＯＳＤ２３にてその時の動作モードを表示器２４やビデオ入出力端子に出力する画像に情報として合成して表示する。
【００２４】
図５（Ａ）〜（Ｅ）は上記の記録画像を再生しないモードの画像例を示す。同図（Ａ）は早送り、同図（Ｂ）は巻き戻し、同図（Ｃ）はイジェクト、ローディング中、同図（Ｄ）は再生中（再生禁止メディア）、同図（Ｅ）は停止時を示す画像であり、いずれも白地の部分はブルーバック画像であり、表示マークの画像はブルーバックとは異なる色に選定されている。
【００２５】
（３）メモリへの動画録画モード
前述した（１）のカメラ動画像のテープ録画モードと同じ動作をしている時に、カメラ／ＪＰＥＧエンコーダ１７から、ＤＳＣ３０に対して被写体の撮像信号である動画像信号を出力する。また、マイク２５から音声信号が、音声セレクタ／マイクアンプ２１から音声用ＡＤＣ／ＤＡＣ３７に入力され、ここでＡ／Ｄ変換され後ＤＳＣ３０に対して出力される。
【００２６】
ＤＳＣ３０は、このビデオカメラに挿入されたＳＤメモリカード３８に記録・再生を行うためのデジタル・スチル・カメラシステムで、マイクロコンピュータとＤＳＰで構成されており、入力動画像信号に対しては、ＣＩＦ（３５２ｘ２８８）、ＱＶＧＡ（３２０ｘ２４０）など正方画素でパーソナルコンピュータ（ＰＣ）のツールで対応可能な所定のサイズ／フレームレートに変換後に、ＭＰＥＧ４等の動画圧縮を行う。また、ＤＳＣ３０では、入力音声信号に対しても、同様にＰＣ上のツールで対応可能なサンプリングレート、ビット数に変換後圧縮を行う。そして、ＤＳＣ３０はその圧縮した動画像データと音声データを一つのファイルにまとめ、ＳＤメモリカード３８へ書き込む。この時、ＤＳＣ３０に接続されるリード・オンリ・メモリ（ＲＯＭ）３９はプログラムコード、シンクロナス・ダイナミック・ランダム・アクセス・メモリ（ＳＤＲＡＭ）４０は画像バッファ、作業領域として使用している。
【００２７】
テープ再生時のメモリ録画も同様に、カメラ／ＪＰＥＧエンコーダ１７から、ＤＳＣ３０に対してテープ再生動画像信号が入力され、テープ再生音声信号が音声セレクタ／マイクアンプ２１から音声用ＡＤＣ／ＤＡＣ３７に入力され、ここでＡ／Ｄ変換され後ＤＳＣ３０に対して出力される。これにより、上記と同様にして、ＤＳＣ３０によりテープ再生動画信号及びテープ再生音声信号を一つのファイルにまとめてＳＤメモリカード３８に書き込むことが可能となる。
【００２８】
（４）メモリからの動画再生モード
ＤＳＣ３０は、そのＳＤＩＯ−Ｉ／Ｆに接続されているＳＤメモリカード３８からＭＰＥＧ４等の動画ファイルを読み出し、動画圧縮データと音声圧縮データに分離後、それぞれ伸張する。動画圧縮データに対してはＭＰＥＧ４等の動画伸張後にＮＴＳＣ方式、ＰＡＬ方式、ＳＥＣＡＭ方式などのテレビ規格に合うようにフレームレートやサイズを変換してビデオエンコーダ／デコーダ１９へ出力し、音声圧縮データについても伸張後にサンプリング周波数を音声用ＡＤＣ／ＤＡＣ３７で使用する周波数に合わせて変換を行い、音声用ＡＤＣ／ＤＡＣ３７へ出力する。
【００２９】
ビデオエンコーダ／デコーダ１９に入力された動画像信号は、デコードされた後表示器２４で表示され、又はビデオ入出力端子へ出力される。音声信号は音声用ＡＤＣ／ＤＡＣ３７でＤ／Ａ変換後、音声セレクタ／マイクアンプ２１を経由してスピーカ３６へ出力され、これにより音声として発音される。
【００３０】
（５）メモリへの静止画記録モード
前述した（１）のカメラ動画像のテープ録画モードと同様に、被写体の撮像信号である動画像信号がカメラ／ＪＰＥＧエンコーダ１７に取り込まれるが、カメラ／ＪＰＥＧエンコーダ１７はカメラ動画像のテープ録画モードとは異なり、入力動画像信号に対してＪＰＥＧ圧縮を行う。
【００３１】
その後、カメラ／ＪＰＥＧエンコーダ１７により得られたＪＰＥＧ圧縮データは、外部バス３３、３２を経由して画像処理回路１４に転送され、さらにこれより高速シリアル転送でＤＳＣ３０に送信される。ＤＳＣ３０は受け取ったＪＰＥＧ圧縮データをファイル化して、ＳＤメモリカード３８に記録する。
【００３２】
（６）メモリからの静止画再生モード
ＤＳＣ３０は、ＳＤメモリカード３８からＪＰＥＧ圧縮データを読み出し、ＪＰＥＧ伸張した後、更にＮＴＳＣ方式、ＰＡＬ方式、ＳＥＣＡＭ方式などのテレビ規格に合うようにサイズを変換して、ビデオエンコーダ／デコーダ１９を経由して表示器２４に静止画を表示させ、又はビデオ信号としてビデオ入出力端子へ出力する。
【００３３】
（７）ネットワークからのテープ制御とテープ再生動画ストリーム転送モード
ネットワークモードでは、ＳＤＩＯ無線ＬＡＮカード（ＳＤＩＯ−ＷＬＡＮ）４１によって外部の無線アクセスポイントまたは無線機能を搭載した外部コンピュータ（ＰＣ）４２と無線接続される。ＤＳＣ３０内にはＴＣＰ／ＩＰプロトコルスタック、Ｗｅｂサーバを搭載し、それら外部コンピュータ４２をクライアントとするネットワークを介してのアクセスによってこのビデオカメラを遠隔制御することが可能な状態となっている。
【００３４】
具体的には、外部コンピュータ４２からＷｅｂブラウザ等を用いて、ＤＳＣ３０に接続されたＲＯＭ３９に記憶されているＷｅｂページにアクセスし、これにより外部コンピュータ４２の画面に表示されるＷｅｂページの項目選択やボタンをクリックすることで、その情報をネットワークを介してビデオカメラ側に伝え、ビデオカメラに対しての要求（動画選択、ＶＴＲ制御など）を行う。
【００３５】
図２は外部コンピュータ４２の画面に表示される上記のＷｅｂページの一例を示す。同図に示すように、このＷｅｂページは、画面５０の中央やや下側に比較的大きな面積の再生動画ストリーム表示領域５１があり、画面上部には早送りボタン５２、停止ボタン５３、再生ボタン５４、巻き戻しボタン５５、再生動画サイズ選択メニュー５６が表示され、またカーソル制御ボタン５７が表示される。
【００３６】
図１の構成のビデオカメラは、外部コンピュータ４２によりＷｅｂページの再生ボタン５４をクリックするなどにより、外部コンピュータ４２から動画ストリーム転送の要求を受け取った場合は、ＤＳＣ３０からシステムＣＰＵ２６にテープ再生動画モードの要請を出し、これに基づくシステムＣＰＵ２６の制御により、ＤＶＣデッキ２２がテープ再生モードとなって磁気テープから動画像信号を再生し、ＤＶＣコーデック２０を経由して再生動画像信号がＤＳＣ３０に供給される。
【００３７】
ＤＳＣ３０は入力された再生動画像信号をＷｅｂページで設定されたサイズで圧縮し、ＳＤＲＡＭ４０をバッファとして用いて外部コンピュータ４２に対して、ネットワークを介して動画ストリームとして送り出す。
【００３８】
また、ＤＳＣ３０は動画ストリームデータの初めに、コーデック種類、画像サイズ、ビットレートなどの情報を出力し、これを基に外部コンピュータ４２上の動画再生ソフトが動画ストリームを再生する。そして、外部コンピュータ４２との接続が切断されるまで動画ストリームを転送し続ける。外部コンピュータ４２の図２の画面５０の再生動画ストリーム表示領域５１には、ビデオカメラから送信された上記の再生動画ストリームが表示される。
【００３９】
また、外部コンピュータ４２は、上記の動作と並行して上記のＷｅｂページにアクセスし、ＷｅｂページのボタンをクリックすることでＶＴＲ制御を行うことができる。例えば、図２の早送りボタン５２、停止ボタン５３、再生ボタン５４、巻戻しボタン５５のいずれかをクリックするなどの方法で押すと、ネットワークを通じて図１の構成のビデオカメラに、押したボタンに対応する情報が通知され、ＤＳＣ３０からシリアル信号線によりシステムＣＰＵ２６に押したボタンに対応するＶＴＲ制御要求が出され、図示しない信号線でＤＶＣデッキ２２を遠隔制御できる。
【００４０】
テープ再生動画ストリームは、ＤＶＣデッキ２２→ＤＶコーデック２０→カメラ／ＪＰＥＧエンコーダ１７→→ＤＳＣ３０の順に伝送される。この時、テープ再生動画像信号に対して、動作モードを合成して表示するＯＳＤ２３は、上記のテープ再生画像信号ルートに含まれないため使用することができない。そこで、ＤＳＣ３０に接続されるＲＯＭ３９内に動作を示す画像（静止画または動画）を入れておき、再生画像が表示されないモードにおいて、ブルーバック画像の替わりに表示を行う。
【００４１】
例えば、上記の表示例としては、停止は図３（Ａ）、早送りは図３（Ｂ）、巻戻しは図３（Ｃ）、イジェクトは図３（Ｄ）、ローディング中は図３（Ｅ）、再生禁止メディアは図３（Ｆ）、再生未対応フォーマットは図３（Ｇ）、テープ先頭は図３（Ｈ）、テープエンドは図３（Ｉ）などである。また、再生中のテープ位置を知るために、現在の再生位置を示すマークを画像として持っておき、その画像を停止中に合成して表示することも選択可能である（図３（Ｊ））。更に、停止時におけるタイムコード、音声フォーマットや画像情報なども同様に選択して追加表示できる。
【００４２】
これらの画像は１枚の画像として用意すると簡単に表示できる。ＲＯＭ３９のサイズ節約のため文字や記号に分けて用意すると、組み合わせで多くのモードの画像を作成できる。また、複数の静止画像を順番に表示することや、動画データを用いることで、人目を引くような動画像にすることもできる。
【００４３】
このように、本実施の形態では、クライアントである外部コンピュータ４２の画面には、記録画像を再生しないモード（停止、早送り、巻戻し、イジェクト、ローディング中）や、再生禁止メディアの場合などでは、そのモードに応じた図３（Ａ）〜（Ｊ）のいずれかの画像が表示されるため、クライアントである外部コンピュータ４２のユーザは、遠隔操作するサーバのビデオカメラのモード状態を正確に確認できる。
【００４４】
また、記録画像を再生しないモードのときに表示する上記の各画像は、本実施の形態では、従来の本体ＬＣＤなどで使用するモード表示用ＯＳＤ回路などのハードウェアを用いることなく生成するようにしたため、容易で安価に構成が可能である。
【００４５】
（８）メモリカード制御とネットワークメモリ動画ストリーム転送モード
ビデオカメラ本体で再生表示できる動画像は磁気テープから再生した動画像だけではなく、ＳＤメモリカード３８から読み出した動画像でも可能である。上記の（７）のテープ制御とネットワークテープ再生動画ストリーム転送モードにおいて、ＤＶＣデッキ２２でのテープ再生の替わりに、ＳＤメモリカード３８から動画ファイルを読み出し再生を行うことで同様の機能を実現できる。
【００４６】
ビデオカメラが、外部コンピュータ４２よりＷｅｂページを介してＳＤメモリカード３８の動画ストリーム転送の要求を受け取った場合は、ＤＳＣ３０がＳＤメモリカード３８から動画ファイルを読み出し、その動画ファイルのフォーマットがネットワークに送り出すことが可能なフォーマットならばそのまま、そうでない場合は送り出すことが可能なフォーマットに変換してから、ＳＤＲＡＭ４０をバッファとして用いて外部コンピュータ４２に対して動画ストリームとして送り出す。
【００４７】
ＳＤメモリカード３８のようにランダムアクセス可能なメディアの場合は、再生画像を表示しない時、ＳＤメモリカード３８に記録してあるＭＰＥＧ４などの動画ファイルの内容が分かる一部を切り取った静止画像である、図４のようなサムネイル画像の一覧を、図２の再生動画ストリーム表示領域５１に表示し、Ｗｅｂサーバ（図２）の選択ボタン（上・下・左・右）５７で上下左右にカーソル枠を動かし、選択したサムネイル画像の再生を行う。
【００４８】
次に、本発明の第２の実施の形態について説明をする。図６は本発明になるサーバ機能を備えた再生装置の第２の実施の形態のブロック図を示す。同図中、図１と同一構成部分には同一符号を付し、その説明を省略する。本実施の形態は、図１の第１の実施の形態と比較して、ビデオエンコーダ／デコーダ１９からＤＳＣ３０への信号線４４を追加した点に特徴がある。
【００４９】
ネットワークを用いて外部コンピュータ４２でビデオカメラ側の動画を表示させる場合には、ＯＳＤ２４で動作モードの文字や記号を合成させた動画像を、図６の信号線４４を用いてＤＳＣ３０に送り、ネットワークに配信する。これにより、常にビデオカメラの状態（カメラモード、テープ再生モード、メモリ再生モードでも）が外部のコンピュータ４２から把握できる。
【００５０】
この動作モードの文字や記号の表示は、オン／オフ可能なように、ＤＳＣ３０に接続されているＲＯＭ３９のＷｅｂページに、図７に示すようにモード表示の選択ボタン５８を搭載する。外部コンピュータ４２の画面５０に表示される図７に示すＷｅｂページの選択ボタン５８を押下したか否かの情報は、外部コンピュータ４２からネットワークを介して図６のビデオカメラのＤＳＣ３０に送信され、更にＤＳＣ３０からシステムＣＰＵ２６へ送られ、システムＣＰＵ２６がＯＳＤ２３を制御して表示のオン／オフを制御する。
【００５１】
選択ボタン５８を押す回数により、例えば、全消去、一部消去、全表示とモードが変わるようにできる。
【００５２】
なお、本発明は以上の実施の形態に限定されるものではなく、例えば上記の実施の形態ではサーバ機能を有するビデオ一体型ＶＴＲについて説明したが、本発明はサーバ機能を有する再生装置全般に適用可能である。
【図面の簡単な説明】
【００５３】
【図１】本発明の第１の実施の形態のブロック図である。
【図２】本発明におけるＷｅｂページの一例を示す図である。
【図３】本発明におけるモード表示画像例を示す図である。
【図４】本発明におけるサムネイル表示例を示す図である。
【図５】本発明におけるＯＳＤ画像合成例を示す図である。
【図６】本発明の第２の実施の形態のブロック図である。
【図７】本発明におけるＷｅｂページの他の例を示す図である。
【符号の説明】
【００５４】
１１  光学系
１２  撮像素子
１３  ＡＦＥ
１４  画像処理回路
１７  カメラ／ＪＰＥＧエンコーダ
１９  ビデオエンコーダ／デコーダ
２０  ＤＶコーデック
２１  音声セレクタ／マイクアンプ
２２  ＤＶＣデッキ
２３  ＯＳＤ（オン・スクリーン・ディスプレイ）
２４  表示器
２５  マイク
２６  システムＣＰＵ（中央処理装置）
３０  ＤＳＣ（デジタル・スチル・カメラシステム）
３６  スピーカ
３７  音声用ＡＤＣ／ＤＡＣ
３８  ＳＤメモリカード
３９  ＲＯＭ（リード・オンリ・メモリ）
４０  ＳＤＲＡＭ（シンクロナス・ダイナミック・ランダム・アクセス・メモリ）
４１  無線ＬＡＮカード
４２  外部コンピュータ
４４  信号線
【図１】
2006041871.tif 000003
【図２】
2006041871.tif 000004
【図３】
2006041871.tif 000005
【図４】
2006041871.tif 000006
【図５】
2006041871.tif 000007
【図６】
2006041871.tif 000008
【図７】
2006041871.tif 000009